(57)【要約】【課題】従来の高分子化合物によって形成された容器は棄てる際、容器を変形させても可逆的に形状が復元していたためにコンパクトに棄てづらかったものや、製造時に手間がかかり複雑な構成により余分な資源を使用したものや、容器自体に設けられた溝に頼った変形により容器の形状が戻らない様にしていたため、容器の変形が容器の形状や材質等に影響されやすかったものや、何度も容器を押し押さえつけなければ容器をつぶすことが困難なものなどであった。【解決手段】高分子化合物で形成された飲料用容器等において、容器面の構造を利用し突起面とその突起面を連結するくぼみ構造を構成したことにより、容器の省資源化と、容器の面剛性も稼げ、容器の材質や形状による復元力の影響を受けにくい、高分子化合物容器構造の実現を目的とするものである。【選択図】図23
2011079582.tif 000002
【特許請求の範囲】
【請求項１】
、容器の内面にその内面どうしをはめ込み固定が可能である、曲線又は直線またはそれらを複合した面によるくさび形又は凹凸形状の対向した、突起及びくぼみを設けたことを特徴とする、高分子化合物容器。
【請求項２】
高分子化合物容器の上下部分において、変形しにくく容器を周回する面か、又はくさび形状の曲線形状又は多角形状又はそれらを複合したリング形状をした突起か、又はくさび形のブロックを曲線状又は多角状又はそれらを複合しリング状に配置した突起を設け、
前述の高分子化合物容器の間に、上側に対して径を大きく下側に対して径を小さく、又は、その逆に段差を設け、上側の外面とその面の外面が向かい合い下側の内面とその面の内面が向かい合う、又は、上側の内面とその面の内面が向かい合い下側の外面とその面の外面が向かい合うための、変形しやすい斜面を設けたことを特徴とする、高分子化合物容器。
【請求項３】
上記請求項１又は請求項２のいずれか又はその両方を有する高分子化合物であって、変形を補助するための線状又は点状になった突起又は溝を設けたことを特徴とする、高分子化合物容器
【発明の詳細な説明】
【技術分野】
【０００１】
本発明は、高分子化合物で形成され液体を内容することが可能である容器に関する。
【背景技術】
【０００２】
従来のペットボトル等の飲料用容器は、高分子化合物で形成されていたために形状が可逆的に戻りやすい容器になっていた。
【０００３】
また、従来のペットボトルは絞って圧力を加えることで形状を戻りにくくしたものや、容器の側面を押し込むことで容器の形状を凹ませて容器の容量を減らすものや、省資源化などのためにペットボトル構成面を薄くしたものなどとなっていた。
【０００４】
以下、図１〜図９により従来の液体内容用容器について説明する。
【０００５】
図１は従来のペットボトルを斜め上から見た図一例であり、（１）はペットボトルで、（２）はペットボトルにねじ込み着脱する蓋で、（３）は未使用時には（２）と連結しているが一度蓋を回して取り外すと蓋からちぎれて残るリングであり、（４）は、ペットボトルの口部分より下部に位置するペットボトルのリング状の突起で（５）はペットボトルの底面が内方へ突出した部分である。
【０００６】
また、図１の（Ｈａ）は容器の頭部、（Ｈｂ）は容器の肩部、（Ｈｃ）は容器の胴部、（Ｈｄ）は容器の脚部とし、容器の形状は様々であり容器の形状によりそれらの部分の有無や区別がつかないものなどがあるが説明のためのおおよその部位として記載した。
【０００７】
図２は従来のペットボトルを斜め上から見た図一例であり、図１の（１）における（Ｈｂ）と（Ｈｃ）と（Ｈｄ）付近の曲線形状となった部分が直線形状を含む形状となったものである。
【０００８】
図３は従来のペットボトルの口付近の図一例であり、（２）は容器から取り外した蓋、（１）はペットボトル部分の口付近で、（Ａ）の（６）は（２）を固定するためのネジ状の突起が連続した螺旋状になったものであり、（Ｂ）の（６’）は（Ａ）の（６）が途中で複数に区切られ螺旋形状に配置されたものである。
【０００９】
図４の（Ａ）は従来のペットボトルの上部付近の図一例であり、図１の（Ｈｂ）がなだらかに延びたものであり、多様な曲面や直面を複合したものなど形状は様々なものがある。
【００１０】
図４の（Ｂ）は従来のペットボトルの上部付近の図であり、図２の（１）の側面が異なる形状の多面体になったものであり、多様な直面や曲面を複合したものがあり、（Ｈｂ）と（Ｈｃ）を構成する面の個数が同じものや異なるものなどその種類は様々である。
【００１１】
図５は従来のペットボトルの上部付近の図一例であり、（Ｈｃ）の一部がくびれたものであるが、（Ｈｃ）のくびれや凹みなどは（Ａ）のように大きな面積のものであっても、（Ｂ）のように狭い面積で構成したものであってもよく、くびれが曲線や直線で構成されるなどの形状や、くびれの面積など多様でありその種類は様々である。
【００１２】
図６は従来のペットボトルに構成された溝又は突起の図一例であり、（Ａ）と（Ｂ）と（Ｃ）は溝の例、（Ｄ）と（Ｅ）と（Ｆ）は突起の例であるが、溝や突起は様々な直線又は曲線により構成されたものがあり、その種類は様々であった。
【００１３】
図７は従来のペットボトルの上部付近の図であり、（Ａ）及び（Ｂ）及び（Ｃ）は容器の上部に（７）の溝又はくぼみを設けたものであり、その種類は様々である。
【００１４】
図８は従来のペットボトル面の構成面一例の図であり、（Ａ）はペットボトル面がＰＣＣＰシェル構造になったもの、（Ｂ）は中央が四辺形状に盛り上がったもの、（Ｃ）は菱形の中央が盛り上がった形状のもの、（Ｄ）は上下の溝の中央が盛り上がった形状のものであり、（Ｃ）は菱形の中央がくぼんだ形状のものなどもあり、それらの種類は様々である。
【００１５】
図９は従来のペットボトルの下部付近の図一例であり。（Ａ）は容器の底面中央が容器の内側方向に盛り上がり凹凸を有した突起で、（Ｂ）は容器外側面の溝が容器の内側方向に複数盛り上がった構造のものであり、容器下部の形状も様々なものがある。
【００１６】
特開平１１−１０５８４４について、ペットボトルの内壁に多数の突起ひだが設けられることが記載されており、これらのひだが絡まることでペットボトルの復元力を抑制できる様に記載されているが、
複雑な多数のひだは製造時に複雑で手間がかかりそうであり、また、容器の構造面に設けられたひだ状の突起は、ひだを構成する部分により余分な資源が増えているのは避けることができない。
【００１７】
特開２００４−３４５７３５及び実用新案登録第３０９４４０６号において、特開２００４−３４５７３５は明細書及び図面の符号（３、６、２）の（単線溝、複線溝、円形溝）等により容器をつぶしやすくしつぶした後の容器形状を戻りにくくたものであり、また実用新案登録第３０９４４０６号は明細書及び図面の符号（３、６、８）の（単線溝、複線溝、円形溝）等のクラッシュラインにより容器をつぶしやすくしつぶした後の容器形状を戻りにくくしたものであるが、この形状のものでは内壁同士を接合するための構造があるわけではないのである程度容器が復元することは避けられないと考えることができる。
【００１８】
特開平０９−２５４９４６について、特開平０９−２５４９４６は請求項に記載された形状とすることにより効果を発揮するものであり、特開平０９−２５４９４６の図８の（２２）や（２３）及び図９の（１６）等の部分は他の出願の明細書においても類似のものが記載されており、特開平０９−２５４９４６の構成部分についてのものではないことがわかる。
【００１９】
特開２００３−０４０２３１について、特開２００３−０４０２３１は請求項に記載した変形方法をする容器及び方法に対しての出願であるが、変形方法が容器自体を斜めに横切る様に折り曲げる動作をしなければならないので、握力の弱い人などは苦労をする恐れが生じる可能性がある。
【００２０】
特開２００９−０６２０６４について、容器を構成する曲面の反り返りを利用したものであることがわかるが、図８の（Ｃ）や（Ｄ）の容器底面や容器の口付近の円周の大きさが小さくできないと図９の形状に近づけることは困難であることがわかる。
【００２１】
特開２００２−０８００２１について、特開２００２−０８００２１は容器底面を中央付近の直線の溝に沿って凹ます容器で、その構造をもつ容器が他の請求項へと展開していることがわかり、この容器は上記のものなどと同様に容器に設けられた溝によって容器の変形を保つものであることがわかる。
【００２２】
２０１０年３月１５日ＰＭ１１：００の民放のニュース中に植物由来の高分子化合物が用いられた容器を放映していたが、容器が突起とくぼみを持たないためにニュースキャスターの人が何回も容器を押しつぶしていた。
【００２３】
【特許文献１】特開平１１−１０５８４４
【特許文献２】特開２００４−３４５７３５
【特許文献３】実用新案登録第３０９４４０６号
【特許文献４】特開平０９−２５４９４６
【特許文献５】特開２００３−０４０２３１
【特許文献６】特開２００９−０６２０６４
【特許文献７】特開２００２−０８００２１
【非特許文献１】広辞苑  第６版
【発明の開示】
【発明が解決しようとする課題】
【００２４】
以上に述べた従来の高分子化合物で形成された飲料用容器はゴミとして棄てる際に、
容器を変形させても可逆的に形状が復元していたため容器の容積が大きいままでコンパクトに棄てづらいものや、
製造時に手間がかかり複雑な構成による余分な資源を使用したものや、
容器自体に設けられた溝に頼った変形により容器の形状が戻らない様にしていたため、容器の変形が容器の形状や材質等に影響されやすかったものや、
何度も容器を押し押さえつけなければ容器をつぶすことが困難なものなどであった。
【００２５】
本発明は、このような従来の高分子化合物で形成された飲料用容器等が有していた問題を解決し、容器面の構造を利用し突起面とその突起面を連結するくぼみ構造を構成したことにより、容器の省資源化と、容器の面剛性も稼げ、容器の材質や形状による復元力を効果的に抑制する、高分子化合物容器構造の実現を目的とするものである。
【課題を解決するための手段】
【００２６】
本発明の高分子化合物容器は上記目的を達成するために、容器の内面にその内面どうしをはめ込み固定が可能である、曲線又は直線またはそれらを複合した面によるくさび形又は凹凸形状の対向した、突起及びくぼみを設けたものである。
【００２７】
また本発明の一つである高分子化合物容器は、
高分子化合物容器の上下部分において、変形しにくく容器を周回する面か、又はくさび形状の曲線形状又は多角形状又はそれらを複合したリング形状をした突起か、又はくさび形のブロックを曲線状又は多角状又はそれらを複合しリング状に配置した突起を設け、
前述の高分子化合物容器の間に、上側に対して径を大きく下側に対して径を小さく、又は、その逆に段差を設け、上側の外面とその面の外面が向かい合い下側の内面とその面の内面が向かい合う、又は、上側の内面とその面の内面が向かい合い下側の外面とその面の外面が向かい合うための、変形しやすい斜面を設けたものである。
【００２８】
また本発明の一つである高分子化合物容器は、上記００２６又は００２７のいずれか又はその両方を有する高分子化合物であって、変形を補助するための線状又は点状になった突起又は溝を設けたものである。
【００２９】
上記の課題解決手段による本発明の００２６の作用は、容器内の対向する内面と内面において、はめ込むことができるため、容器が元の形状に戻ろうとすることを抑制することができる。
【００３０】
また本発明の００２７の作用は、上記の変形しにくい部位を容器の上下に設け、その間に変形しやすい斜面を設けたため、容器の高さを低くすることができる。
【００３１】
また本発明の一つである００２８における作用は、００２６又は００２７のいずれかを有する容器に容器を変形させるための線上または点状の突起又はくぼみを有するために、容器の変形をしやすく誘導することができる。
【発明の効果】
【００３２】
上述したように本発明の高分子化合物容器は、容器の容積を小さくするとともに容器の幅を薄くすることができ、コンパクトに容器を棄てることができるという効果を有する。
【００３３】
また、本発明の一つの高分子化合物容器は、容器の高さを低くすることができるため、コンパクトに容器を棄てることができるという効果を有する。
【００３４】
また、本発明の一つの高分子化合物容器は、変形の誘導用の突起又はくぼみを有するために、容器の変形をスムーズに行うことができるという効果を有する。
【発明を実施するための最良の形態】
【００３５】
以下、本発明の実施の形態を図１０〜図２２に基づいて説明する。
【００３６】
図１０は本発明のはめ込むことが可能である突起及びくぼみ一例の断面図であり、（９）は容器内面に設けた突起で、（１０）は容器内面に設けたくぼみであり、（Ａ）は曲線状のくぼみに曲線状の突起をはめ込むものであり、（Ｂ）は曲線状のくぼみに直線状の突起をはめ込むものである。
【００３７】
また図１０及び以下の図でも使用する本発明の突起及びくぼみは、くさび形形状や凹凸形状により引っかかる効果を利用したものであり、本発明の条件を満たすものであれば、その種類は限定しない。
【００３８】
図１１は本発明のはめ込むことが可能である突起及びくぼみ一例の断面図であり、（Ａ）は直線状のくぼみに曲線状の突起をはめ込むものであり、（Ｂ）は直線状のくぼみに、突起の上端を突起の引っかかる部分よりやや狭くしてくぼみの中に入りやすくした形状を複合した直線状の突起、をはめ込むものである。
【００３９】
突起自体の形状や材質や構造の種類は本発明の条件を満たすものであれば限定しない。
【００４０】
図１２は本発明のはめ込むことが可能である突起及びくぼみ一例の断面図であり、（９’）は突起で（１０’）はくぼみであるが、（Ａ）は突起側に（９’）を設けくぼみ側に（１０’）を設けたものであり、（Ｂ）は突起側に（１０’）を設けくぼみ側に（９’）をもうけたものである。
【００４１】
（９）や（１０）などの突起やくぼみに設ける（９’）や（１０’）などの突起やくぼみはリング状であっても、螺旋状であっても、単数又は複数の分割されたブロック状であっても、上下や左右や斜め方向の一方向又は様々な方向に突出又はくぼんだものなどでもよく、その種類は限定しない。
【００４２】
図１３は本発明のはめ込むことが可能である突起及びくぼみ一例の断面図で、図１２の（Ａ）における突起の（９’）の数を増やしそれに対応する溝の数を同数にしたものや変えたものであり、（Ａ）は（９’）と（１０’）を同数にしたもの、（Ｂ）は複数の（９’）に対して（１０’）を単数にしたものである。
【００４３】
また、図１３とは逆に容器内部の突起に（１０’）を設け容器内部溝に（９’）を設けた場合でも、複数の（９’）に対して複数又は単数の（１０’）を設けたものも考えることができる。
【００４４】
本発明で使用する突起は、「凹凸、突起、カギ状構造物、フック、引っかけ」等、また、くぼみは、「凹凸、くぼみ、穴、溝、カギ状構造物、フック、引っかけ」等それらの名称の種類によらず、本発明の条件を満たすものであればその種類は限定しない。
【００４５】
図１４は本発明のはめ込むことが可能である突起及びくぼみ一例の図であり、（１１）は突起又はくぼみであり（Ａ）は（１１）を縦長に設置したもの、（Ｂ）はブロック状の（１１）を上下に設置したもの、（Ｃ）はブロック状の（１１）を複数設置したものである。
【００４６】
また、本発明で構成する突起又はくぼみの形状や構成の種類は本発明の条件を満たすものであればその種類は限定しない。
【００４７】
図１５は本発明のはめ込むことが可能である突起及びくぼみ一例の図であり、（Ａ）はクロス形状のもの、（Ｂ）は三角形状のもの、（Ｃ）は曲線を複合した形状のものであり、その種類は本発明の条件を満たすものであればその種類は限定しない。
【００４８】
図１６は本発明の高分子化合物容器部分の断面一例の図であり、（Ａ）は請求項２の部分図で、（１２）は容器の変形しにくい形状になった部分であり、（１３）は変形しやすい部分であり、（１４）は形状により容器を変形しにくくした部分であり、（１２）と（１３）の間に容器の円周に沿う様に溝を設け変形しやすくしたものであり、（１２）はくさび形断面になっているので変形しやすい（１３）の斜面形状を下方向に押し込んで凹ませルことができるものである。
【００４９】
また図１６の（Ｂ）は本発明の請求項２を設けることができる部分図一例であり、（１３’）がその条件を示す部分であり、容器の断面が斜面になっているところであれば請求項２を容器の成型時に作ることができる。
【００５０】
図１７は本発明の高分子化合物容器において斜面を有する部分を横から見た一例の図であり、（Ａ）の（１２）を押し込むことにより（１４）の内側に（１３）が入り込み、（Ｂ）の形状になるものである。
【００５１】
また、（１２）及び（１４）はリング形状となっているがそれらはそれぞれ円周上に配置されたブロック形状のものであってもよく本発明の条件を満たすものであれば、その種類は限定しない。
【００５２】
図１８は本発明の請求項の働きを補助する溝又は突起一例であり、（Ａ）と（Ｂ）の（１５）は溝で、（Ｃ）と（Ｄ）の（１６）は突起である。
【００５３】
図１９は本発明の請求項の働きを補助する溝又は突起一例であり、（１７）は溝又は突起であり、（Ａ）は（１７）を縦方向に設けたものｍ（Ｂ）は斜め方向の（１７）を複合して設けたものであり、それらは本発明の条件を満たすものであれば、直線形状や曲線形状やそれらを複合した形状のものや凹凸等を複合したものなど、その種類を限定しない。
【００５４】
図２０は本発明の容器内部面の形状一例の図であり、（１８）及び（１８’）は本発明の容器内面が凹凸形状になったものであり、図（Ａ）は（１８）と（１８’）を矢印の方向へ押しつぶすことにより（１８）と（１８’）の凹凸部分が引っかかり内面同士を固定するものであり、（Ｂ）は（１８）と（１８’）を矢印の横成分方向にスライドさせることにより（１８）と（１８’）の凹凸が引っかかるものを示した図である。
【００５５】
図２１は図２０とは異なる形状の本発明の容器内部面の形状一例の図であり、（１８）は容器内面で、（１８’）は（１８）と対向した反対側の容器内面を示し、（Ａ）は容器内面の凹凸構造の断面図を示し、（Ｂ）は（Ａ）の（１８）側の面と（１８’）側の面において（１８）の面を矢印の方向へ（１８’）の面を矢印と反対の方向へ互いにこすり合わせる様にスライドさせることにより（Ａ）に記載の凹凸がはまり合って容器がつぶれる仕組みのものである。
【００５６】
図２２は本発明の容器内部面の形状一例の図であり、（１８）は容器内面の凸部で（１９）は容器内面の凹部であり、（Ａ）は図１０の（Ａ）と同様のものであるが、（Ｂ）は（１８）が部分部分に分割され（１９）に入ることにより（Ａ）と同様の効果を示すもので、（Ｃ）は容器面に対して（１８）が線形の溝状に設けられたものの例である。
【００５７】
請求項１と請求項２の構造は同じ容器で一緒に用いても、また、請求項１と請求項２を一緒に設けなくても、それぞれ一方のみを有する容器として使用することができる。
【００５８】
上記の最良の形態の例は本発明の説明のために記述したものであり、本発明の請求項における形状、材質、構造などの形態の種類を限定したものではない。
【実施例】
【００５９】
以下本発明の実施の形態を図２３及び図２４に基づいて説明する。
【００６０】
図２３は本発明の高分子化合物容器一例の図を示し、（２０）は山折り線で正反対の対向した容器内部にもあり容器をつぶすのを補助し、（２１）は谷折り線で容器の上部又は下部を折り曲げるのを補助し、（２２）は本発明の突起部分であり対向した容器部分（２２’）に本発明のくぼみ部分を構成し、（２２）の突起をそのくぼみ（２２’）に入れることで（２２）を（２２’）に引っかけ固定することができ、容器をつぶしたままにしておくことができる。
【００６１】
また、図２３は容器の（４）の下にある硬くなった部分を利用し（１４）に（１３）部分を入れて容器自体を低くすることができる。
【００６２】
上述した様に、００６０の機構と００６１の機構の片方の機構が構成されてなくてもよく、その種類は限定しない。
【００６３】
図２４は図２３の円筒形状の容器が直線形状の容器形状になったものの説明図一例を示し、対向した（２４）などの容器の辺の隅又は（２３）などの面に本発明の突起やくぼみを用いることにより、本発明の条件を満たすものとしたものである。
【００６４】
本発明で使用する高分子化合物容器の形状は曲線形状のものであっても多角形の曲線形状のものであってもそれらの形状を複合した形状のものであっても、本発明の形状の条件を満たすものであれば、それらの種類は限定しない。
【００６５】
（実施態様）
１．本発明の条件を満たすものであれば、容器の形状や材質や構造など、その種類は限定しない。
２．本発明の条件を満たすものであれば、本発明で使用するものの形状や材質や構造など、その種類は限定しない。
３．本発明の条件を満たすものであれば、内側が突起になっている部分の外側の容器面のくぼみに凹凸などにより容器の取っ手を取り付けるなど、他のものや他の機能との組み合わせや複合の種類は限定しない。
【図面の簡単な説明】
【００６６】
【図１】従来の高分子化合物容器の外観図一例
【図２】従来の高分子化合物容器の外観図一例
【図３】従来の高分子化合物容器の口部付近の外観図一例
【図４】従来の高分子化合物容器の肩部付近の外観図一例
【図５】従来の高分子化合物容器の胴部付近の外観図一例
【図６】従来の高分子化合物容器で使用される凹凸の外観図一例
【図７】従来の高分子化合物容器で使用される凹凸の外観図一例
【図８】従来の高分子化合物容器で使用される凹凸の外観図一例
【図９】従来の高分子化合物容器の脚部付近の外観図一例
【図１０】本発明で使用する凹凸一例の図
【図１１】本発明で使用する凹凸一例の図
【図１２】本発明で使用する凹凸一例の図
【図１３】本発明で使用する凹凸一例の図
【図１４】本発明で使用する凹凸一例の図
【図１５】本発明で使用する凹凸一例の図
【図１６】本発明の高分子化合物容器部分一例の図
【図１７】本発明の高分子化合物容器部分一例の図
【図１８】本発明で使用する補助用の凹凸一例の図
【図１９】本発明で使用する補助用の凹凸一例の図
【図２０】本発明で使用する容器面一例の図
【図２１】本発明で使用する容器面一例の図
【図２２】本発明で使用する容器面一例の図
【図２３】本発明の高分子化合物容器部分一例の図
【図２４】本発明の説明のための高分子化合物容器部分一例の図
【符号の説明】
【００６７】
１：高分子化合物容器、２：蓋、３：容器と別体のリング、４：容器に設けたリング
５：臓器の底、６：容器の口部付近に設けたネジ山、７：溝又はくぼみ、８：突起
９・９’：突起、１０・１０’：溝又はくぼみ、１１：突起又はくぼみ
１２・１４：請求項２の硬い部分、１３・１３’請求項２の斜面、１５本発明の補助用の溝またはくぼみ、１６：本発明の補助用の突起、１７：本発明の補助用の突起又は溝又はくぼみ、１８・１８’・１９：本発明の容器の内側面形状、２０：突起状又は山折り状折り目、２１：谷折り状の溝又はくぼみ又は折り目、２２：請求項１の突起、２２’：請求項１のくぼみ
２３：直線形状の容器の面、２４：直線形状の容器の辺
Ｈａ：容器の頭部
Ｈｂ：容器の肩部
Ｈｃ：容器の胴部
Ｈｄ：容器の脚部
【図１】
2011079582.tif 000003
【図２】
2011079582.tif 000004
【図３】
2011079582.tif 000005
【図４】
2011079582.tif 000006
【図５】
2011079582.tif 000007
【図６】
2011079582.tif 000008
【図７】
2011079582.tif 000009
【図８】
2011079582.tif 000010
【図９】
2011079582.tif 000011
【図１０】
2011079582.tif 000012
【図１１】
2011079582.tif 000013
【図１２】
2011079582.tif 000014
【図１３】
2011079582.tif 000015
【図１４】
2011079582.tif 000016
【図１５】
2011079582.tif 000017
【図１６】
2011079582.tif 000018
【図１７】
2011079582.tif 000019
【図１８】
2011079582.tif 000020
【図１９】
2011079582.tif 000021
【図２０】
2011079582.tif 000022
【図２１】
2011079582.tif 000023
【図２２】
2011079582.tif 000024
【図２３】
2011079582.tif 000025
【図２４】
2011079582.tif 000026